(57)【要約】【課題】様々な色柄表現によりファッション性に優れ、ＴＰＯにあわせて使い分けができるストールを提供する。【解決手段】色彩及び／又は模様を有する矩形の布帛からなるストールであって、該ストールが該矩形の布帛の端縁部を接合して筒状にした形状であり、該ストールの長手方向に沿って複数の色彩及び／又は模様により形成される色柄領域を有し、該色柄領域がプリント方式で一体的に形成されているもので、具体的には、色柄がインクジェット方式でプリントされており、必要に応じて色柄が写真調であるストールである。【選択図】図３
2016033274.tif 000002
【特許請求の範囲】
【請求項１】
色彩及び／又は模様を有する矩形の布帛からなるストールであって、
該ストールが該矩形の布帛の端縁部を接合して筒状にした形状であり、
該ストールの長手方向に沿って複数の色彩及び／又は模様により形成される色柄領域を有し、
該色柄領域がプリント方式で一体的に形成されているストール。
【請求項２】
該プリント方式がインクジェットプリント方式である請求項１に記載のストール。
【請求項３】
該色柄が写真調の画像である請求項２に記載のストール。
【請求項４】
該布帛が再生セルロース繊維織物である請求項１〜３のいずれかに記載のストール。
【請求項５】
該再生セルロース繊維織物の目付が１０〜１００ｇ／ｍ２である請求項４に記載のストール。
【請求項６】
矩形の布帛にインクジェットプリント方式で該布帛の端縁部に沿って配設された複数の色彩及び／又は模様を有する色柄領域をプリントする工程と、
該端縁部を接合して筒状の布帛とする工程と、を含むストールの製造方法。
【発明の詳細な説明】
【技術分野】
【０００１】
本発明は、ＴＰＯ（時間、場所、場合）にあわせて使い分けのできるストールに関する。
【背景技術】
【０００２】
従来、ストールは身の回りのファッションアイテムとして一般に浸透している。
【０００３】
その例として、例えば特許文献１には一重織ガーゼ組織と多重織ガーゼ組織が一体組織で接結されているガーゼ織物が開示されており、用途としてストールがあげられている。
しかし、通気性や柔軟性や保温性といった機能性はあっても、ＴＰＯにあわせて使用するには複数のものを準備する必要があり、経済的な問題がある。
【０００４】
また、特許文献２には折り畳むことによって色・柄を組み合わせるストールが開示されている。しかし、折り畳み数が増えるにつれて嵩張るため使いづらいという問題がある。
【先行技術文献】
【特許文献】
【０００５】
【特許文献１】実用新案登録第３１８００６７号公報
【特許文献２】実用新案登録第３１０４０１４号公報
【発明の概要】
【発明が解決しようとする課題】
【０００６】
本発明は、上記の課題を解決し、様々な色柄表現によりファッション性に優れ、ＴＰＯにあわせて使い分けのできるストールを提供するものである。
【課題を解決するための手段】
【０００７】
すなわち本発明は、上記の課題を解決するために、次のような手段を実施するものである。
（１）色彩及び／又は模様を有する矩形の布帛からなるストールであって、該ストールが該矩形の布帛の端縁部を接合して筒状にした形状であり、該ストールの長手方向に沿って複数の色彩及び／又は模様により形成される色柄領域を有し、該色柄領域がプリント方式で一体的に形成されているストール。
（２）該プリント方式がインクジェットプリント方式である（１）に記載のストール。
（３）該色柄が写真調の画像である（２）に記載のストール。
（４）該布帛が再生セルロース繊維織物である（１）〜（３）のいずれかに記載のストール。
（５）該再生セルロース繊維織物の目付が１０〜１００ｇ／ｍ２である（４）に記載のストール。
（６）矩形の布帛にインクジェットプリント方式で該布帛の端縁部に沿って配設された複数の色彩及び／又は模様を有する色柄領域をプリントする工程と、
該端縁部を接合して筒状の布帛とする工程と、を含むストールの製造方法。
【発明の効果】
【０００８】
本発明によれば、長手方向に沿って複数の色柄領域が存在するため、ＴＰＯに合わせて好適な色柄を首まわりに出現させて楽しむことができる。また、色柄の境界部付近を表側に存在させることで複数の色柄領域を見せることもできる。また、気分を変えて図１のように捩じって首に巻く場合は、さまざまな色柄が混ざり合って不思議な色柄表現を楽しむこともできる。
さらに、布帛の形状が筒状であるため被ってスヌードとしても使える。したがって、１つのストールを何通りにも使えるという利点がある。
本発明のストールを使用すれば、ストールを複数準備しておく必要がなくなるので経済的であり、産業上の利用可能性が大いに期待できる。
【図面の簡単な説明】
【０００９】
【図１】本発明の実施態様の一例である。
【図２】本発明の実施例にかかる概略図である。
【図３】本発明の実施例にかかる概略図である。
【図４】本発明の実施例にかかる概略図である。
【発明を実施するための形態】
【００１０】
本発明のストールは、色彩及び／又は模様を有する矩形の布帛からなるストールであって、該ストールが該矩形の布帛の端縁部を接合して筒状にした形状であり、該ストールの長手方向に沿って複数の色彩及び／又は模様により形成される色柄領域を有し、該色柄領域がプリント方式で一体的に形成されていることを特徴とする。
【００１１】
上記のプリントは、布帛の片面に行われてもよいし両面に行われてもよい。
片面であれば本発明の効果が得られるとともに経済的であるし、両面であれば色柄の変化をさらに楽しむことができる。
【００１２】
本実施形態において、ストールは、少なくとも、色彩及び／又は模様（以下、色彩等と称す）により形成される第１領域と、第１領域に隣接し、第１領域とは異なる色彩等により形成される第２領域と、を含む。
【００１３】
本発明において領域とは、色彩等によって、ストール内において他の部分とは区切られた区域（以下、切り替え区域と称する）をいう。すなわち、隣接する第１領域と第２領域とは、異なった色彩等を備えており、ストール内には、複数の色彩等が存在する。従来、ストール内に複数の色彩等を含めるためには、異なる色彩等を有する複数の基布、あるいは、素材の異なる複数の基布を準備し、これらを各切り替え区域に対応するピースに裁断し、ピース同士を縫合する必要があった。本実施形態においては、この切り替え区域をプリント方式によって同じ布帛上に一体的に形成する。そのため、１つのストールを形成する際に、各ピースを準備し、これらを縫合する工程を必要としない。
【００１４】
第１領域と第２領域とが一体的に形成されるとは、同じプリント工程で第１領域および第２領域の両方がプリントされることをいう。第１領域と第２領域とが、同時にプリントされることまでは要しない。
【００１５】
本発明でいう布帛の端縁部とは布帛の外形ラインのことを言い、長手方向とは布帛を筒状にした場合の長尺側の方向のことを言う。
【００１６】
複数の色彩及び／又は模様により形成される異なる色柄領域は、２領域以上であればよく、好ましくは３以上、より好ましくは４以上である。意匠性を高める観点からは、領域の数は多いほうが好ましいが、製造効率などの観点から、領域数は８以下であるのが好ましい。
【００１７】
本発明の色柄領域をプリントする方式は特に限定されず、スクリーンプリント方式、ロータリープリント方式、インクジェットプリント方式、レーザープリント方式などが採用可能である。
その中でも、小ロットに対応可能で、写真調の画像など色彩表現能力に優れ、装置のコストパフォーマンスにも優れたインクジェットプリント方式が好ましい。
インクジェットプリント方式としては、基材と媒体とからなる被記録媒体にプリントしたのち布帛に転写する方式もあるが、風合いの点から直接インクジェットプリンタでプリントする方式が好ましい。
インクジェットプリント方式を行うプリンタとしては、市販されている布帛用インクジェットプリンタを使用すればよい。
【００１８】
インクジェットプリント方式で直接布帛に着色する前に、画像を鮮明に表現するために布帛に滲み防止加工等の前処理を施すのが好ましい。
前処理剤には、必要に応じて、水溶性ポリマー、非水溶性不活性有機化合物、発色助剤、紫外線吸収剤、還元防止剤、酸化防止剤、ｐＨ調整剤、ヒドロトロープ剤、消泡剤、浸透剤、ミクロポーラス形成剤などを含ませても良い。
前処理剤を布帛に付与する方法は特に限定されない。例えば、パッド法、スプレー法、浸漬法、コーティング法、ラミネート法、グラビア法、インクジェット法などが挙げられる。
【００１９】
布帛に色彩等を付与するために用いられる着色材としては、特に限定されない。例えば、染料であっても顔料であってもよい。染料としては、布帛への染着性に応じて選択すればよい。例えば、酸性染料、反応染料、直接染料、分散染料、塩基性染料、カチオン染料、油溶性染料などが例示できる。顔料としては、有機顔料や無機顔料などが挙げられる。
【００２０】
本発明で表現される色柄模様としては、特に限定されるものではないが、例えば、ツイル、フライス、メッシュ、あるいはピンメッシュなど織編物の織編組織を表現した組織柄、無地、ストライプ、格子、水玉、およびグラデーション等の色柄、繊維の一部を抜蝕剤等で溶かしたオパール柄、写真のような画像を全面にプリントした写真調の画像等が挙げられる。なかでも、インパクトを得られる点から写真調の画像が好ましい。
【００２１】
また、本発明において、布帛とは、織物、編物、又は不織布である。布帛を構成する繊維は、綿、麻、羊毛、絹等の天然繊維であっても、レーヨン、ポリノジック、モダール等の再生セルロース繊維であっても、アセテート、トリアセテート、ナイロン、ポリエステル、アクリル等の化学繊維であってもよく、また、これらの混紡、交織物であってもよい。なかでも、本発明では、ストールとして好適な素材という観点から肌触りの良さと軽さに優れた再生セルロース繊維織物が好ましい。
【００２２】
上記の再生セルロース繊維織物は顧客の装いの負担にならないように目付が１０〜１００ｇ／ｍ２であることが好ましい。
【００２３】
プリント工程の後、布帛には、常法による洗浄処理および乾燥処理などが施される。続いて、布帛は、裁断工程に供される。裁断工程では、外形ラインに沿って、基布が裁断される。裁断の方法は特に限定されず、はさみ等による手裁断方式、ナイフレシプロ方式、レーザー方式および超音波方式などが例示される。
【００２４】
最後に、裁断した布帛を一対の端縁部で接合し、筒状にしてストールが完成する。本発明において、端縁部を接合する方法は、工業用ミシンなどによる糸条の縫合であってもよいし、糸条を融点以上に熱して貼り合わせる融着であってもよいし、接着剤による貼着であってもよく、特に限定されない。
尚、本発明のストールは端縁部がほつれないようにメローロックや巻きロックなどの公知のほつれ防止処理を行うことが好ましい。
【００２５】
本発明のストールは筒状開口部の端縁部について公知のフリンジ加工を行うことが好ましい。
【実施例】
【００２６】
（実施例１）
以下の方法により、図３に示すストールを作製した。
［布帛の準備］
目付５０ｇ／ｍ２のレーヨン１００％ガーゼ織物を準備した。
【００２７】
［前処理］
インクジェットプリント方式によるプリントに先立ち、下記処理液をＤｉｐ／Ｎｉｐ法（ピックアップ率１００％）にてこの織物に付与し、１００℃で２分間乾燥した。  なお、これ以降に記載の％は、特に断らない限り重量％とする。
ニューテックスＦ−Ｍ  １％（富士化学工業（株）製、アルギン酸ソーダ）
重曹                  ４％
ＭＳリキッド        １０％（明成化学工業（株）製、染色助剤）
尿素                  ５％
水                    残り
【００２８】
［プリント］
次いで、前処理した織物を布帛用インクジェットプリンタにセットし、下記のYellow、Red、Blue各色からなる反応染料インクを用いて、織物の外形ラインに沿って等間隔に区切った2つの色柄領域（それぞれ、第１領域、第２領域とする）のうち、第１領域にストライプ調の柄を、第２領域に水玉調の色柄をプリントした。第１領域、第２領域のサイズはともに１７０ｃｍ×６０ｃｍとした。
【００２９】
〈Yellowインク〉
Reactive Yellow 13                    ６％
ジエチレングリコールジメチルエーテル  １．５％
純水                                  残り
〈Redインク〉
Reactive Red 24                       ６％
ジエチレングリコールジメチルエーテル  １．５％
純水                                  残り
〈Blueインク〉
Reactive Blue 19                      ６％
ジエチレングリコールジメチルエーテル  １．５％
純水                                  残り
【００３０】
用いた布帛用インクジェットプリンタはオンデマンド方式シリアル走査型インクジェットプリンタであり、付与条件はノズル径１００μｍ、駆動電圧１００V 、周波数５０００Hz、解像度３６０dpiとした。
【００３１】
［後処理］
インクを付与した織物を風乾した後、１００℃の加熱蒸気によって１０分間スチーミングを行った。スチーミング後の織物を流水で充分に水洗した後、織物重量に対して５０倍量の水とエスクードＮＳ（日華化学（株）製、洗浄剤）２ｇ／Ｌを使用して、８０℃で１０分間洗浄した。さらに、ネオフィックスＣＦ−２０（日華化学（株）製、陽イオン系フィックス剤）を２ｇ／Ｌの割合で含むフィックス浴にて、4０℃で１０分間処理し、水洗後、乾燥させた。
【００３２】
［裁断および縫合］
プリントされた織物を外形線に沿ってはさみを用いて裁断した。さらに短手方向の端縁部にフリンジ加工をして図２のような織物を得た。最後に織物の長手方向の端縁部を接合して筒状にしたときに第１領域と第２領域が接合部で隣り合うように織物を工業用ミシンを用いて縫い合わせ、図３のようなストールを得た。
【００３３】
（実施例２）
第１領域の色柄を街並みの写真画像、第２領域の色柄をグラデーションとする以外は実施例１と同様に行い図４のようなストールを作成した。
【００３４】
（比較例１）
１７０ｃｍ×６０ｃｍのレーヨン織物の全面に実施例１で第１領域にプリントした色柄と同じストライプ柄をインクジェットプリント方式によりプリントすることと、端縁部を巻きロックによるほつれ防止処理を行ったのみで筒状にせず一枚ものとして使用すること以外は実施例１と同様に行いストールを得た。
【００３５】
実施例１および２のストールは複数の色柄があるためＴＰＯに合わせて使い分けが可能で、さらに被ってスヌードとしても楽しめるが、比較例１のストールはＴＰＯに合わせての使い分けはできず、スヌードなど別の使い方もできないため面白味の少ないものであった。
【符号の説明】
【００３６】
１．ストール
２．色柄領域
３．第１領域
４．第２領域
５．縫合糸
６．フリンジ
【図１】
2016033274.tif 000003
【図２】
2016033274.tif 000004
【図３】
2016033274.tif 000005
【図４】
2016033274.tif 000006